(57)【特許請求の範囲】
【請求項１】
筐体と、該筐体の前面開口部を開閉自在にする前面扉と、該筐体内に設けられ、消火用ホースが収納されるホース収納部と、該前面扉の内面に設けられたノズル支持部に支持され、該ホース収納部に収納される消火用ホースの先端に接続される消火用ノズルとを備えた消火栓装置であって、該消火用ノズルが、先端に放水口を有し、該ノズル支持部に支持される直筒状の第１の筒体と、基端に該消火用ホースの先端が接続されるく字状の第２の筒体と、該第１の筒体と該第２の筒体とを回動自在に接続し、該第２の筒体の基端を該ホース収納部に向けさせる回動接続部とからなることを特徴とする消火栓装置。
【請求項２】
前記消火用ノズルの第１の筒体がその筒体より外方に突出してもうけられた把持部を有するものであることを特徴とする請求項１記載の消火栓装置。
【発明の詳細な説明】
【０００１】
【発明の属する技術分野】
この発明は、火災の消火等に用いられ、消火用ホースの先端に接続されて用いられる消火用ノズルを備えた消火栓装置に関する。
【０００２】
【従来の技術】
例えばトンネル内に設置される消火栓装置は、消火剤供給源より消火用ホースを介して供給される消火剤を火災に向けて放出するための消火用ノズルを消火用ホースの先端に備えている。このような消火栓装置における消火用ノズルは、常時においては、ホース収納部に内巻きに或いは外巻きに巻き付けられる消火用ホースとともに、消火栓装置の筐体内に収納されており、火災発生時において、消火用ホースとともに筐体内より外部に引き出されて用いられるものである。
【０００３】
消火用ノズルは上記のように常時においては消火栓装置の筐体内に収納されるものであるが、その収納位置は火災発生時において消火活動に不慣れな操作者であっても即座に手に取ることができる位置であることが好ましい。そこで、従来の消火栓装置においては、操作者が即座に手に取り易い位置に消火用ノズルが位置するように、ノズル支持部を筐体内の適当な位置に設けてその支持部に消火用ノズルを支持していた。
【０００４】
しかしながら、消火栓装置の消火用ノズルは直筒状（直線的棒状）であり、また消火栓装置に用いられる消火用ホースは一般に保形ホースであり、さらにその消火用ホースはホース収納部に巻き付けられて収納されるものであることから、消火用ホースの曲げ半径やホース収納部への収納状態等に応じてノズル支持位置は制限されることとなるので、筐体内の全体の部品配置が制限されることとなっていた。
【０００５】
さらに、消火用ノズルの支持位置と消火用ホースの曲げ半径やホース収納部への収納状態との関係によっては、消火用ホースをその先端からホース収納部に至るまでの間で大きく湾曲させなければならないことがあることから、筐体内に消火用ホースが大きく湾曲するためのスペースを確保しておく必要があったので、消火栓装置が大型なものとなっていた。
【０００６】
図６に示す従来の消火栓装置１５０を例に上記問題点をさらに説明する。
【０００７】
消火栓装置１５０は、消火用ホース１５２が内巻きに収納され、前面に開口部１５３ａを有するホース収納部１５３を筐体１５１内に備え、さらに筐体１５１は筐体１５１の前面開口部を開閉自在にする前傾扉１５４を備えるものである。前傾扉１５４の内面１５４ａには、ノズル支持部１５５ａが設けられており、ノズル１５５が支持されている。ノズル１５５は直筒状であり、この直筒状のノズル１５５をノズル支持部１５５ａは横向きに支持する如く設けられており、またホース１５２が保形ホースであることから、ホース１５２はその先端（ノズルとの接続部分）からホース収容部１５３に至るまでの間で図に示すような湾曲部１５２ａを形成することとなる。したがってノズル支持部１５５ａは消火用ホース１５２の曲げ半径やホース収納部１５３への収納状態を考慮しそれに応じた位置に設けられている。このため、前傾扉１５４の内面１５４ａ上の制限された位置に設けられており、例えばノズル支持部１５５ａの位置に図示しない消火栓弁の操作レバーを設けるのが好ましかったとしてもノズル支持部１５５ａがあることにより他の位置に設けざるを得ないということがあり、即ち、ノズル支持部１５５ａの位置が制限されるために、消火栓装置１５０における他の部品の配置が制限されてしまうことがある。
【０００８】
さらに、消火用ホース１５２は上記のようにその先端からホース収納部１５３に至るまでの間で大きな湾曲部１５２ａを形成することとなる。このため、この従来例においては前傾扉１５４の内面１５４ａ上に湾曲部１５２ａを形成可能なスペースを確保しておく必要があり、さらに、この湾曲部１５２ａが大きいと、たるみとなるホース１５２の長さが長くなり、湾曲部１５２ａが前傾扉１５４と筐体１５１との間に挟まり、前傾扉１５４を閉じることができないということがないようにするために、湾曲部１５２ａがあっても前傾扉１５４を閉じることができるように前傾扉１５４とホース収容部１５３との間に隙間を確保しておく必要がある。このため消火栓装置１５０はその分大きなものとなっている。
【０００９】
【発明が解決しようとする課題】
この発明は、上記事情に鑑み、消火用ホースを大きく湾曲させなくても、消火用ホースとともに筐体内に収納することができる消火用ノズルを備えた消火栓装置を提供することを目的とする。
【００１０】
【課題を解決するための手段】
上記目的を達成するこの発明について述べれば、それは、筐体と、該筐体の前面開口部を開閉自在にする前面扉と、該筐体内に設けられ、消火用ホースが収納されるホース収納部と、該前面扉の内面に設けられたノズル支持部に支持され、該ホース収納部に収納される消火用ホースの先端に接続される消火用ノズルとを備えた消火栓装置であって、該消火用ノズルが、先端に放水口を有し、該ノズル支持部に支持される直筒状の第１の筒体と、基端に該消火用ホースの先端が接続されるく字状の第２の筒体と、該第１の筒体と該第２の筒体とを回動自在に接続し、該第２の筒体の基端を該ホース収納部に向けさせる回動接続部とからなることを特徴とする消火栓装置、である。これによれば、消火栓装置において、それを消火栓装置の前面扉の内面に設けられたノズル支持部に支持して筐体内に収納するときに、く字状の第２の筒体を回動させて、その基端をホース収納部に向けることができるので、消火用ホースをそのノズルとの接続部分からホース収納部に至る間で大きく湾曲させる必要をなくすることができる。
【００１１】
【発明の実施の形態】
この発明の消火用ノズル及び消火栓装置の実施の形態をトンネル内等に設置される消火栓装置を例に図１〜４に基づいて説明する。なお、図１は消火用ノズル及び消火栓装置の概略を示す図で、筐体の前面扉を開けた状態における上面図であり、図２は消火用ノズルの一部断面正面図であり、図３は図２の要部拡大断面図であり、図４は消火栓装置から消火用ノズル及び消火用ホースを引き出した状態における側面図である。
【００１２】
消火栓装置５０は、ホースを内巻きに収容してなる所謂内巻き式の消火栓装置である。この消火栓装置５０は、例えばトンネル内の車道に隣接する監査路上に設置されたりトンネルの内壁に埋設されて設置されたりするものである。
【００１３】
消火栓装置５０は、その筐体５２内に、先端にノズル３０が接続される保形ホースである消火用ホース５４を内巻きに収納するボックス形状のホース収納部５５を備えている。ホース収納部５５の前面には、ホース収納部５５内よりホース５４を引き出すため、及びホース収納部５５内にホース５４を収納するための開口部５５ａが設けられており、筐体５２の前面には、前記ホース収納部５５の開口部５５ａを筐体５２の外部に露出させる、前面開口部５２ａが設けられている。
【００１４】
筐体５２には、その前面開口部５２ａを開閉自在にする前面扉として、筐体５２の前面開口部５２ａの下縁を支点として上縁が前方に開放動作する前傾扉５６が設けられている。なお、この前傾扉５６は、開状態においてほぼ水平位置に停止する如く設けられるものであり、例えばダンパー等により筐体５２に支持されるものである。
【００１５】
ノズル３０は、先端３１ａに放水口３１ｃを有し、直筒状（直線的棒状）に形成される第１の筒体３１と、基端３２ｂに消火用ホース５４が接続されるく字状の第２の筒体３２と、第１の筒体３１の基端３１ｂと第２の筒体３２の先端３２ａとを回動自在に接続する回動接続部３３とからなる。このノズル３０は、本実施の形態においては前傾扉５６の背面５６ａ上に設けられたノズル支持部５７により第１の筒体３１が前傾扉５６の上辺５６ｂに沿う如く横向きにされて前傾扉５６の背面５６ａ上に支持されている。ノズル３０の回動接続部３３はその周方向（矢印Ａ１方向）に第１の筒体３１と第２の筒体３２とを回動自在になる如く両者を接続するものであり、第２の筒体３２をその周方向（矢印Ａ１方向）に回動させて、第２の筒体の基端３２ｂの向きを変えることができ、その向きを図１に示すようにホース収納部５５の開口部５５ａに向けることができるようになっている。
【００１６】
第２の筒体３２を回動させて、その基端３２ｂをホース収納部５５の開口部５５ａに向けることで、その基端３２ｂに接続される消火用ホース５４をその接続部５４ａからホース収納部５５の開口部５５ａに至るまでの間で大きく湾曲させる必要をなくすることができ、ホース５４のノズル３０までの長さも短くなり、ホース５４の筐体５２内への収納性を向上させることができる。したがって、ノズル３０をノズル支持部５７に支持するのに、ホース５４の曲げ半径やホース収納部５５内への巻き付け状態等を考慮する必要はなく、従来例のようなノズル支持位置の制限をなくすることができる。
【００１７】
ノズル３０は、その第２の筒体３２を回動させることによりホース５４の筐体５２内への収納性を向上させることができるものであるが、さらにそれによって、火災発生時における操作性をも向上させることができるものである。即ち、火災発生時において操作者がノズル３０を手に取りホース５４とともに筐体５２から外部に引き出すと、第２の筒体３２はその基端３２ｂを下方に向けるように自然と回動し、図４に示す状態となる。したがって操作者が意識的に基端３２ｂを下方に向けていなくても、基端３２ｂを下方に向けた状態でノズル３０から消火剤を放出することができ、消火剤の放出時の操作性を向上させることができる。
【００１８】
さらにノズル３０は、第１の筒体３１にその外方に突出する把持部３８を備えている。操作者はこの把持部３８を把持してノズル３０より消火剤を放出することができるが、消火剤を放出する際にノズル３０の第２の筒体３２の基端３２ｂを下方に向けておくことができるので、例えば、図４に示すように把持部３８の先端を下方に向けても基端３２ｂを下方に向けておくことができるし、図示は省略するが把持部３８の先端を上方や横方向に向けても基端３２ｂを下方に向けておくことができる。したがって、把持部３８を備えたノズル３０によれば、操作者は把持部３８の先端の向きを自由に変えることができるし、その向きを変えつつも基端３２ｂを下方に向けておくことができ、消火剤の放出時の操作性をさらに向上させることができる。
【００１９】
また、ノズル３０の把持部３８は筐体５２内からノズル３０を取り出す際の操作性をも向上させることができる。即ち、本実施の形態のように前傾扉５６の背面５６ａ上にノズル３０を支持しておく場合には、図１に示すように、ノズル３０を横向きにして把持部３８の先端を筐体５２の前方に向けて支持しておく。このようにすることで、ノズル３０を取り出そうとする操作者にとって把持部３８を手に取り易い位置とすることができ、ノズル３０を取り出す際の操作性を向上することができる。なお図１の場合ノズル３０の第２の筒体３２の基端３２ｂは把持部３８の先端の向きとは反対の向きを向いていることとなるが、上記のようにノズル３０を取り出しホース５４とともに外部に引き出せば基端３２ｂは自然と下方に向くこととなるので、放出の際に収納時の把持部３８の先端と基端３２ｂの向きの違いが問題となることはない。
【００２０】
ノズル３０の回動接続部３３については、第１の筒体３１と第２の筒体３２とを回動自在に接続するものであればそれでよいが、本実施の形態においては、以下の如き構成としている。
【００２１】
即ち、図３に詳細を示すように、第１の筒体３１の基端３１ｂ内には内筒３４の先端３４ａが挿入され、筒体３１の内周面と内筒３４の外周面とが螺合されて、第１の筒体３１と内筒３４とが接続固定されている。内筒３４の外周にはストッパリング３５が嵌着されており、ストッパリング３５の先端鍔部３５ａは第１の筒体３１の基端３１ｂに当接し、ストッパリング３５の基端３５ｂは内筒３４の突部３４ｃに当接している。さらに内筒３４は、その基端３４ｂ側からストッパリング３５とともに第２の筒体３２の先端３２ａ内に挿入されており、突部３４ｃが第２の筒体３２の内周に設けられたストッパ部３２ｃに当接し、突部３４ｃの外周面は第２の筒体３２の内周面と接触する状態で、第２の筒体３２の内周面とストッパリング３５の外周面とが螺合されて、第２の筒体３２とストッパリング３５とが接続固定されている。これにより、第１の筒体３１と第２の筒体３２とは内筒３４及びストッパリング３５を介して接続されており、第１筒体３１は、内筒３４とともに第２の筒体３２とストッパリング３５に対して回動することとなり、第２の筒体３２は、ストッパリング３５とともに第１の筒体３１及び内筒３４に対して回動することとなり、第１の筒体３１と第２の筒体３２とを回動自在に接続する回動接続部３３が構成されている。なお、３６及び３７はシール部であり、シール部３６は第１の筒体３１と内筒３４との間をシールし、シール部３７は内筒３４と第２の筒体３２との間をシールしている。
【００２２】
【実施例】
上記消火栓装置１をさらに具体化した消火栓装置１００についてそれを図５に基づいて説明する。なお、消火栓装置１と同一図面符号を付したものはその名称も機能も同一である。
【００２３】
図５において、消火栓装置１００は、消火用ホースを内巻きに収納してなる所謂内巻き式の消火栓装置である。この消火栓装置１００は、例えばトンネル内の車道に隣接する監査路上に設置されたりトンネルの内壁に埋設されて設置されたりするものである。
【００２４】
消火栓装置１００は、その筐体１０１内に、先端にノズル３０を有する保形ホースである消火用ホース１０４、消火用ホース１０４を内巻きに収納するホース収納部１０５、消火用水供給用配管１０６、三方切替弁１０７、圧力調整弁１０８、消火栓弁１０９、消防隊用給水栓１１０等を備えている。
【００２５】
ホース収納部１０５の前面には、ホース収納部１０５内より消火用ホース１０４を引き出すため、及びホース収納部１０５内に消火用ホース１０４を収納するための開口部１０５ａが設けられており、筐体１０１の前面には、前記ホース収納部１０５の開口部１０５ａを筐体１０１の外部に露出させる、前面開口部１０１ａが設けられている。
【００２６】
ホース収納部１０５はホースバケット１１２から形成されている。このホースバケット１１２は、筐体１０１の内壁上面から内壁下面に至る２本の棒状体１１３、１１３とその棒状体１１３、１１３から筐体１０１の内壁背面に至る略Ｌ字状に屈曲した２枚の帯板１１４、１１４とからなり、棒状体１１３、１１３との間に前記開口部１０５ａが形成されている。またこのホースバケット１１２の帯板１１４、１１４と筐体１０１の内壁上面と内壁下面との間にはその四隅に隅部開口部１１３ａ、１１３ａ、１１３ａ、１１３ａが設けられている。これにより、ボックス形状によりホース収納部を筐体１０１の内側に形成する場合に比較してホース収納部１０５を小型化することができ、それによって結果として消火栓装置１００を小型化することができるし、さらに、ホースバケット１１２の開口部１０５ａから消火用ホース１０４をホースバケット１１２内即ちホース収納部１０５内に収納するときに、隅部開口部１１３ａ、１１３ａ、１１３ａ、１１３ａから消火用ホース１０４がホース収納部１０５内にどのように巻き付けられているかを目視により確認することができ、隅部開口部１１３ａ、１１３ａ、１１３ａ、１１３ａからホース収納部１０５内に手を入れて消火用ホース１０４を押し込んだり整えたりすることができるので、ホース収納部内に消火用ホース１０４を整然と巻き付けて収納するを容易に行うことができる。
【００２７】
筐体１０１には、その前面開口部１０１ａを開閉自在にする前面扉として、筐体１０１の前面開口部１０１ａの下縁を支点として上下に開閉動作する前傾扉１０６が設けられている。なお、この前傾扉１０６は、開状態においてほぼ水平位置に停止する如く設けられるものであり、例えばダンパー等により筐体１０１に支持されるものである。
【００２８】
前傾扉６は、その内部に扉内蔵機構部６ａが設けられており、その扉内蔵機構部６ａを覆う裏板７が、前傾扉６の背面６ｂ側に設けられている。扉内蔵機構部６ａとしては、例えば、図示は省略するが、前傾扉６の開閉のためのラッチ機構部や把持部などや消火栓弁１０９の開閉操作レバー１０の動力伝達のための機構部などがある。この前傾扉６の背面６ｂ側には、前傾扉６を閉じたときにホース収納部１０５の開口部１０５ａと対向する位置に収納凹部８が設けられており、この収納凹部８内にノズル３０と消火用ホース１０４のたるみ部１０４ｂを収納しておくことができるようになっている。これにより、ノズル３０とたるみ部１０４ｂが前傾扉６とホース収納部１０５との間に位置する状態になったとしても、それらを収納凹部８内に収納しつつ前傾扉６を閉じることができることから、前傾扉６とホース収納部１０５との間に隙間を設ける必要をなくするすることができるので、消火栓装置１００の奥行き寸法を短くすることができ、消火栓装置１００を小型化することができる。
【００２９】
ノズル３０は、その先端３１ａに放水口３１ｃを有し、直筒状（直線的棒状）の第１の筒体３１と、基端３２ｂに消火用ホース１０４の先端接続部１０４ａが接続されるく字状の第２の筒体３２と、第１の筒体３１と第２の筒体３２とを周方向に回動自在に接続する回動接続部３３とからなる。本実施例においては第１の筒体３１が前傾扉６の上辺に沿う如く横向きにされてノズル支持部１０３に支持されて収納凹部８内に収納されている。このノズル３０における回動接続部３３により第２の筒体３２を回動させることで、その基端３２ｂを図示のようにホース収納部１０５の開口部１０５ａに向けることができる。このようにすることで、消火用ホース１０４をその先端接続部１０４ａからホース収納部１０５に至るまでの間、即ちたるみ部１０４ｂで大きく湾曲させる必要をなくすることができる。これにより、ノズル３０を前記のように横向きにノズル支持部１０３に支持しておく場合でも、前傾扉６上にたるみ部１０４ｂが大きく湾曲するスペースを確保しておく必要がないので、たるみ部１０４ｂが大きく湾曲するスペースを確保するためにノズル支持部１０３の設置位置が制限されることをなくすることができる。したがって、ノズル支持部１０３の設置位置、即ちノズル３０の支持位置が制限されることにより筐体１０１内の他の構成の配置が制限されて消火栓装置１００が大型化してしまうことがない。
【００３０】
ホースバケット１１２、収納凹部８及びノズル３０は、上記のように、それぞれが消火栓装置１００を小型化するという作用効果を有するものであるが、三者を同時に備える本実施例の消火栓装置１００によれば、三者の相乗効果によって消火栓装置１００をさらに小型化することができる。
【００３１】
【発明の効果】
この発明は上記の如く構成されているので、消火用ノズルにおいて、それが消火栓装置のノズル支持部に支持されるときに、く字状の第２の筒体を回動させて、その基端をホース収納部に向けることにより、消火用ホースをそのノズルとの接続部分からホース収納部に至る間で大きく湾曲させる必要をなくすることができる。
【００３２】
また、消火用ノズルにおいて、それが消火栓装置の筐体の扉のノズル支持部に支持されるときに、く字状の第２の筒体を回動させて、その基端をホース収納部に向けることにより、消火用ホースをそのノズルとの接続部分からホース収納部に至る間で大きく湾曲させる必要をなくすることができる。
【００３３】
さらにまた、消火栓装置において、それを消火栓装置の前面扉の内面に設けられたノズル支持部に支持して筐体内に収納するときに、く字状の第２の筒体を回動させて、その基端をホース収納部に向けることができるので、消火用ホースをそのノズルとの接続部分からホース収納部に至る間で大きく湾曲させる必要をなくすることができる。
【図面の簡単な説明】
【図１】この発明の実施の形態に係る消火用ノズルを備えた消火栓装置を示す図で、筐体の前面扉を開けた状態における上面図である。
【図２】この発明の実施の形態に係る消火用ノズルを示す図で、その一部断面正面図である。
【図３】図２の要部拡大断面図である。
【図４】この発明の実施の形態に係る消火用ノズルを備えた消火栓装置を示す図で、消火栓装置から消火用ノズル及び消火用ホースを引き出した状態における側面図である。
【図５】この発明の実施例に係る消火用ノズルを備えた消火栓装置を示す図で、筐体の前面扉を開けた状態における斜視図である。
【図６】従来例に係る消火用ノズルを備えた消火栓装置を示す図で、筐体の扉を開けた状態における斜視図である。
【符号の説明】
３０      ノズル
３１    第１の筒体
３２    第２の筒体
３３    回動接続部
３８    把持部
５０      消火栓装置
５２      筐体
５２ａ    前面開口部
５４      消火用ホース
５５      ホース収納部
５６      前傾扉
５７      ノズル支持部
【図１】
0003799569.tif 000002
【図２】
0003799569.tif 000003
【図３】
0003799569.tif 000004
【図４】
0003799569.tif 000005
【図５】
0003799569.tif 000006
【図６】
0003799569.tif 000007